(57)【要約】【課題】安価な構成で節電運転を可能とした冷蔵庫の提供。【解決手段】冷蔵室２内に冷気を吐出する吐出口１０を有する吐出風路１１と、冷蔵室内の冷気を吸い込む第一の吸込み口１２を有する第一の戻り風路１３と、冷蔵室の温度を検知する温度検知手段２３とを有する冷蔵庫であって、当該冷蔵庫には更に前記冷蔵室の冷気を吸い込む第二の吸込み口１８を有する第二の戻り風路１７と、前記第二の吸込み口の吸込み量を調整する調整手段１９とを設け、かつ、前記第二の吸込み口１８は前記第一の吸込み口１２よりも前記吐出口１０の近くに設け、前記温度検知手段２３は前記第二の戻り風路１７に隣接する空間に設けた構成としてある。これにより、第二の吸込み口１８の開閉により冷蔵室２の管理温度を変更できるようになり、安価かつ信頼性の高い構成で冷蔵室温度を高め設定して節電運転が可能となる。【選択図】図６
2014077590.tif 000002
【特許請求の範囲】
【請求項１】
冷蔵室と、冷凍室と、圧縮機と、冷却器と、冷却ファンと、前記冷蔵室内に冷気を吐出する吐出口を有する吐出風路と、前記冷蔵室内の冷気を吸い込む第一の吸込み口を有する第一の戻り風路と、前記冷蔵室の温度を検知する温度検知手段とを有する冷蔵庫であって、当該冷蔵庫には更に前記冷蔵室の冷気を吸い込む第二の吸込み口を有する第二の戻り風路と、前記第二の吸込み口の吸込み量を調整する調整手段とを設け、かつ、前記第二の吸込み口は前記第一の吸込み口よりも前記吐出口の近くに設けるとともに、前記温度検知手段は前記第二の戻り風路に隣接する空間に設けたことを特徴とする冷蔵庫。
【請求項２】
前記冷蔵室に冷蔵室空間を複数の区画に区切る食品棚を設け、前記吐出口と前記第二の吸込み口とは同一の区画に配置したことを特徴とする請求項１に記載の冷蔵庫。
【請求項３】
前記冷蔵室に冷蔵室空間を複数の区画に区切る食品棚を設け、前記温度検知手段と前記第一の吸込み口とは最下段の同一の区画に配置したことを特徴とする請求項１または２に記載の冷蔵庫。
【請求項４】
前記温度検知手段は、前記吐出風路と前記第二の戻り風路との間の空間に配置したことを特徴とする請求項１から３のいずれか１項に記載の冷蔵庫。
【請求項５】
前記吐出風路と第二の戻り風路との間に対応する冷蔵室背面壁に照明手段を設け、前記照明手段と前記温度検知手段とを同一基板上に配置したことを特徴とする請求項１から４のいずれか１項に記載の冷蔵庫。
【発明の詳細な説明】
【技術分野】
【０００１】
本発明は冷蔵庫に関するものである。
【背景技術】
【０００２】
一般に冷蔵庫はファンによって冷気を循環し、この冷気によって内部に収納した食品等を冷却している。そしてこの様な冷蔵庫の中には冷蔵室と冷凍室の二室からなるものがあり、その中には温度調節機能を持たず冷蔵室の管理温度を一定値、例えば４℃に設定し、かつ、冷蔵室と冷凍室への冷気配分を手動切換する切換手段を設けただけの冷蔵庫がある。
【０００３】
この様な冷蔵庫は冷蔵室側に設けた温度検知手段によって冷蔵室の温度を管理温度、例えば４℃に管理し、冷凍室側の温度は切換手段による冷凍室への冷気配分の増減によって所定温度、例えば−１８℃になるようにしてある（例えば、特許文献１参照）。
【０００４】
図７は特許文献１の冷蔵庫を示し、冷蔵庫１０１内には冷凍室１０２と冷蔵室１０３の二室が設けてある。これら冷凍室１０２と冷蔵室１０３は圧縮機１０４と冷却器１０５によって生成された冷気を冷却ファン１０６によって供給されて冷却されるようになっている。すなわち、圧縮機１０４と冷却器１０５によって生成された冷気は前記冷蔵室１０３及び冷凍室１０２に連通する吐出風路１０７、１０８を介して供給される。そして、冷蔵室１０３に設けた温度検知手段１０９によって冷蔵室の温度が管理温度４℃に管理される。このとき、図示されていないが、前記吐出風路１０７、１０８の間には同吐出風路１０７、１０８に配分する冷気の量を切り換える切換手段が設けてあり、この切換手段によって冷凍室１０２へ供給される冷気量を増減することによって冷凍室温度が所定温度−１８℃以下になるようにしてある。
【先行技術文献】
【特許文献】
【０００５】
【特許文献１】特開２００７−１３９２５４号公報
【発明の概要】
【発明が解決しようとする課題】
【０００６】
この様な特許文献１に記載された冷蔵庫は冷蔵室１０３の管理温度を調節する温度調節器を持たないので、安価に提供することができる利点がある。
【０００７】
しかしながら、温度調節器を持たないので冷蔵室１０３の管理温度を変更することが出来ず、例えば環境温度が低い春、秋等に冷蔵室１０３の管理温度を高めに切り換えて節電運転をする、というような使い方が出来ない、という課題があった。
【０００８】
この冷蔵室１０３の管理温度を変更するためには温度調節器を設ければよく、実際に温度調節器を設けた冷蔵庫が商品化されている。
【０００９】
しかしながら、上記従来の温度調節器を設けた冷蔵庫は、当該温度調節器が可変抵抗器等の電子部品を基に構成されていて価格的に高くつき、しかもこの温度調節器を冷蔵室壁に取り付けるに際しては冷蔵室の冷気が温度調節器取り付け部分から漏れないように複雑なシール構成とした上で更にパッキンを設けたり、温度検知手段の基板に接続するリード線や、温度調節器となる可変抵抗器を操作する調節つまみ或いは調節ボタンを設けるなど追加部品も多くなり、大幅にコストアップする。
【００１０】
また、このようなコストアップを抑えるため、シール構成の簡素化やパッキンの廃止或いは安価なパッキンを採用したりすると、前記温度調節器が電気部品からなる構成のため、例えば長期間使用しているうちに冷蔵室内の冷気が漏れて結露により温度調節器の故障を引き起こすなどのことが懸念され、信頼性の点で課題が残るとともに、価格的にもそれほど下がらず、コスト高の問題は残るという課題があった。
【００１１】
本発明はこの様な点に鑑みてなしたもので、コストアップをほとんど発生させず、かつ、故障の懸念もない温度調節機能を付加して節電運転を可能とした安価な冷蔵庫を提供するものである。
【課題を解決するための手段】
【００１２】
上記目的を達成するため本発明の冷蔵庫は、冷蔵室と、冷凍室と、圧縮機と、冷却器と、冷却ファンと、前記冷蔵室内に冷気を吐出する吐出口を有する吐出風路と、前記冷蔵室内の冷気を吸い込む第一の吸込み口を有する第一の戻り風路と、前記冷蔵室の温度を検知する温度検知手段とを有する冷蔵庫であって、当該冷蔵庫には更に前記冷蔵室の冷気を吸い込む第二の吸込み口を有する第二の戻り風路と、前記第二の吸込み口の吸込み量を調整する調整手段とを設け、かつ、前記第二の吸込み口は前記第一の吸込み口よりも前記吐出口の近くに設けるとともに、前記温度検知手段は前記第二の戻り風路に隣接する空間に設けた構成としてある。
【００１３】
これにより、温度検知手段は第二の吸込み口を閉じたときには吐出口から供給された冷蔵室内の食品と熱交換した冷気の温度を検知してこれまで通り冷蔵室の温度を検知するが、第二の吸込み口を開いたときにはこの第二の吸込み口から吸込まれて第二の戻り風路を戻る熱交換前の低温冷気の温度の影響を受けて冷却され、短時間に管理温度に達する。そして温度検知手段はこの管理温度を検知して冷却動作を停止させるが、そのときの冷蔵室の冷気温度は管理温度よりも高めの状態であり、実質的に冷蔵室の管理温度を高め変更したようになる。したがって、上記第二の吸込み口を開くことによって冷蔵室の管理温度を高めに変更して節電運転を行うことが可能になるとともに、従来の可変抵抗器のような高価な電子部品を使用したり、部品点数が増えたり、冷気漏れによる故障の恐れも無くなり、安価で信頼性の高いものとすることができる。
【発明の効果】
【００１４】
本発明は、コストアップをほとんど発生させず、かつ、故障の恐れも発生させずに冷蔵室の温度を調整することができ、冷蔵室温度を高め設定して節電運転が可能となる安価で信頼性の高い冷蔵庫を提供することができる。
【図面の簡単な説明】
【００１５】
【図１】本発明の実施の形態１における冷蔵庫の正面図
【図２】同冷蔵庫の冷蔵室の扉を開けたときの正面図
【図３】同冷蔵庫の縦断面図
【図４】同冷蔵庫の冷蔵室背面部に設けたダクト部材の斜視図
【図５】同冷蔵庫のダクト部材の背面斜視図
【図６】同冷蔵庫の冷気の流れを示す説明図
【図７】従来の冷蔵庫を示す縦断面図
【発明を実施するための形態】
【００１６】
第１の発明は、冷蔵室と、冷凍室と、圧縮機と、冷却器と、冷却ファンと、前記冷蔵室内に冷気を吐出する吐出口を有する吐出風路と、前記冷蔵室内の冷気を吸い込む第一の吸込み口を有する第一の戻り風路と、前記冷蔵室の温度を検知する温度検知手段とを有する
冷蔵庫であって、当該冷蔵庫には更に前記冷蔵室の冷気を吸い込む第二の吸込み口を有する第二の戻り風路と、前記第二の吸込み口の吸込み量を調整する調整手段とを設け、かつ、前記第二の吸込み口は前記第一の吸込み口よりも前記吐出口の近くに設けるとともに、前記温度検知手段は前記第二の戻り風路に隣接する空間に設けた構成としてある。
【００１７】
これにより、調整手段により第二の吸込み口を閉塞しているとき吐出口から吐出した冷気はすべて冷蔵室内の食品と熱交換してこれを冷却するとともに、温度検知手段はこの冷蔵室内の冷気温度を検知するので、これまでと同様冷蔵室の温度は管理温度そのものに制御することができる。そして、調整手段を操作して前記第二の吸込み口を開くと、冷蔵室に供給された冷気の一部は冷蔵室内の食品と熱交換することなくほとんどそのまま第二の吸込み口から第二の戻り風路に戻ってくることになる。そして、温度検知手段は上記第二の戻り風路を流れる低温冷気の影響を強く受けて冷却されることになる。その結果温度検知手段が検知する温度が短時間に管理温度に達し、冷却動作を短時間で停止することになる。よって、温度検知手段が管理温度になったことを検知したときの冷蔵室の実際の温度は、あらかじめ設定されている管理温度より若干高めの温度となる。すなわち、前記調節手段により第二の吸込み口を閉じたときに冷蔵室が管理される温度と、第二の吸込み口を開いたときに冷蔵室が管理される温度が変わる、すなわち管理温度が調節されることになる。したがって、上記第二の吸込み口を開くことによって冷蔵室の管理温度を高めにして節電運転を行うことが可能になる。そしてこの調整手段は第二の吸込み口を開閉するという機械的なものであってダンパーのような調整手段を追加するだけでよいから、可変抵抗器等の電子部品を基に構成した温度調節器のように大幅なコストアップは無く、かつ、長期間使用していても故障の恐れもなく安心して使用することができる。
【００１８】
第２の発明は、第１の発明において、前記冷蔵室に冷蔵室空間を複数の区画に区切る食品棚を設け、前記吐出口と前記第二の吸込み口とは同一の区画に配置した構成としてある。
【００１９】
これにより、第二の吸込み口は吐出口と同一区画内の冷気を吸込む、すなわち、吐出口から吐出され他の区画にまで広がって多くの食品等と熱交換する前の低温の状態の冷気を吸込んで第二の戻り風路に戻っていく。したがって、上記第二の戻り風路から戻る冷気はより低温状態のままとなって温度検知手段の冷却効果が高まり、第二の戻り風路に近接配置した温度検知手段は比較的短時間に管理温度に達して圧縮機や冷却ファンを停止させることになる。よって、冷蔵室に冷気を供給して冷却している時間をより短くすることができ、その分冷蔵室の管理温度に対する冷却不足気味度合いが大きくなって圧縮機や冷却ファンが停止したときの冷蔵室の温度は高めになる。換言すると、冷蔵室の管理温度をより高めに変更することができ、より節電効果の大きな運転が可能となる。
【００２０】
第３の発明は、第１または第２の発明において、前記冷蔵室に冷蔵室空間を複数の区画に区切る食品棚を設け、前記温度検知手段と前記第一の吸込み口とは最下段の同一の区画に配置した構成としてある。
【００２１】
これにより、第二の吸込み口を全閉にして吐出口からの冷気がすべて冷蔵室内の食品等と熱交換して第一の吸込み口より戻るときの冷気温度を良好に検知することができ、冷蔵室内の温度を正確に管理温度に維持することができる。
【００２２】
第４の発明は、第１から第３の発明において、前記温度検知手段は、前記吐出風路と前記第二の戻り風路との間の空間に配置した構成としてある。
【００２３】
これにより、温度検知手段は吐出風路と第二の戻り風路との間の空間を有効利用して配置することができ、構成の合理化が可能となる。
【００２４】
第５の発明は、第１から第４の発明において、前記吐出風路と第二の戻り風路との間に対応する冷蔵室背面壁に照明手段を設け、前記照明手段と前記温度検知手段とを同一基板上に配置した構成としてある。
【００２５】
これにより、吐出風路と第二の戻り風路との間のスペースを有効利用して効率的に照明手段を配置することができると同時に、この照明手段の基板と温度検知手段の基板を兼用することができ、構成の合理化による簡素化と部品点数の削減によるコストダウンも可能となる。
【００２６】
以下、本発明の実施の形態について、図面を参照しながら説明する。なお、この実施の形態によって本発明が限定されるものではない。
【００２７】
（実施の形態１）
図１は本発明の実施の形態１における冷蔵庫の正面図、図２は同冷蔵庫の冷蔵室の扉を開けたときの正面図、図３は同冷蔵庫の縦断面図、図４は同冷蔵庫の冷蔵室背面部に設けたダクト部材の斜視図、図５は同冷蔵庫のダクト部材の背面斜視図、図６は同冷蔵庫の冷気の流れを示す説明図である。
【００２８】
図１〜図３において、１は冷蔵庫本体で、上部に冷蔵室２、下部に冷凍室３を備えている。この各冷蔵室２、冷凍室３は扉４、５によって開閉自在となっている。また、上記冷蔵室２は複数の食品棚２ａによって上下複数の区画に区切ってあり、食品収納の利便性を図っている。
【００２９】
６は冷蔵庫本体１の背面下部に設けた圧縮機、７は前記冷凍室３の背部に設けた冷却器、８は前記圧縮機６と冷却器７によって生成した冷気を送風する冷却ファンで、冷蔵庫本体１の冷蔵室２及び冷凍室３の背部に設けた風路を介して冷蔵室２と冷凍室３に冷気を供給、循環させるようになっている。
【００３０】
この風路は、図３〜図５に示すように、前記冷蔵室２内に冷気を吐出する吐出口１０を有する吐出風路１１と、前記冷蔵室２内の冷気を吸い込む第一の吸込み口１２を有する第一の戻り風路１３と、前記冷凍室３内に冷気を吐出する冷凍室吐出口１４と、前記冷凍室３内の冷気を吸い込む冷凍室吸込み口１５から構成してある。そして、前記冷蔵室２側の吐出口１０及び吐出風路１１と第一の吸込み口１２及び第一の戻り風路１３は冷蔵室背面壁に設けたダクト部材１６及び当該ダクト部材１６と冷蔵室背面の冷蔵庫本体内壁との間で形成してある。なお、吐出風路１１は背面を発泡スチロール等の断熱材で覆われている。
【００３１】
更にこの実施の形態では前記風路に加え以下のような構成を追加することによって温度調節機能を持たせてある。すなわち、１７は前記冷蔵室２上部の吐出口１０の近傍下部に第二の吸込み口１８を設けた第二の戻り風路で、吐出口１０から吐出した冷気の一部を食品とほとんど熱交換することなくそのまま吸込んで冷却器７へと戻す構成としてある。そして、この第二の戻り風路１７の吸込み口１８にこれを開閉する調整手段１９を設け、この調整手段１９によって第二の吸込み口１８を開閉することにより冷蔵室２内の温度を実質的に変更できるようになっている。
【００３２】
この実施の形態では上記調整手段１９を上下スライド自在なダンパーで構成し、図４に示すようにそのつまみ２０は冷蔵室背面壁に設けた上下方向の溝孔２１から冷蔵室内に突出させてあり、冷蔵室内からつまみ２０を持って上下動させ第二の吸込み口１８を開閉することができるように構成してある。
【００３３】
また、調整手段１９にはリブ２８が設けられ、リブ２８の先端は冷蔵庫本体内壁と接する寸法に設定し、調整手段１９と第二の吸込み口１８の隙間管理を向上させ、調整手段１９の脱落を防止する。
【００３４】
また、前記吐出口１０と前記第二の吸込み口１８とは食品棚２ａによって複数の区画に区切られた冷蔵室２の中の同一の区画に配置してある。
【００３５】
更にまた、前記吐出風路１１と第二の戻り風路１７とは上下方向に併設し、これら両者の間に対応するダクト部材１６の上下方向に前記両風路１１、１７間に向けて突出する凹状部２２を設け、この凹状部２２の下部であって食品棚２ａによって区画され前記第一の吸込み口１２と同一区画に位置する部分に温度検知手段２３が設けてある。この凹状部２２の温度検知手段２３上方部分には複数のＬＥＤからなる照明手段２４が設けてあり、この照明手段２４と温度検知手段２３は同一の基板（図示せず）に配置してある。また、上記凹状部２２の冷蔵室側開口は準透明の照明カバー２５で閉塞してあり、前記温度検知手段２３はこの照明カバー２５を介して冷蔵室２に面し間接的に冷蔵室２内の冷気温度を検知するようになっている。
【００３６】
更にまた、前記冷蔵室２への冷気の吐出風路１１の途中には図６に模式的に示すように切換手段２６が設けてあり、これを図中左右にスライドさせることによって冷蔵室２への冷気の量を増減し、それに伴い冷凍室３への冷気量を増減させている。すなわち、冷蔵室２と冷凍室３への冷気の配分を切り替えられるようにしてあり、詳述しないものの前記温度調整用のつまみ２０と同様図４に示すように冷蔵室２内からつまみ２７でスライド操作できるようにしてある。この切換手段２６は従来から設けられていたものと同様のものであり、その具体構成、作用等詳細は割愛する。
【００３７】
上記構成において、以下この冷蔵庫の動作を図４〜図６の矢印で示す冷気流れを基に説明する。
【００３８】
通常、第二の吸込み口１８は閉じて使用する。これにより、吐出口１０から冷蔵室２内に吐出した冷気はそのすべてが冷蔵室２内の食品を冷却しながら第一の吸込み口１２に吸込まれ、第一の戻り風路１３を介して冷却器７へと戻り循環していく。そして、温度検知手段２３はこの食品と熱交換してこれを冷却した冷気の温度を、照明カバー２５を介して間接的に検知し、その検知温度が管理温度、例えば４℃に達すると、圧縮機６と冷却ファン８を停止させる。また、上記食品と熱交換した冷蔵室２内の冷気温度が管理温度（デファレンシャル込み）を超えると圧縮機６と冷却ファン８の運転を再開し、管理温度に維持するようになる。
【００３９】
ここで、使用者がつまみ２０を持って調整手段１９を引き下げ第二の吸込み口１８を開くと、吐出口１０から冷蔵室２に吐出した冷気の一部は食品と熱交換して温度上昇することなく低温状態のまま第二の吸込み口１８から吸込まれ、第二の戻り風路１７を介して冷却器７へと戻り循環する。したがって、前記第二の戻り風路１７に隣接する凹状部２２に設けた温度検知手段２３は前記低温冷気の影響、すなわち凹状部２２の壁を介して当該低温冷気によって間接的に冷却され、前記食品と熱交換した冷蔵室２内の温度上昇した冷気のみを検知している場合に比べ、短時間に管理温度４℃に達して圧縮機６と冷却ファン８を停止させ、管理温度（デファレンシャル込み）を超えると圧縮機６と冷却ファン８の運転を再開して管理温度になるように維持する。その結果、冷蔵室２内は冷却動作が短くなった分管理温度に対し冷却不足気味になってそのときの温度は管理温度よりも高い、例えば１℃高い５℃となっている。すなわち、調整手段１９により第二の吸込み口１８を開くことによって冷蔵室２の管理温度を５℃に変更したのと同じ結果が得られ、従来の温度調
節器と同様の機能を発揮することになる。したがって、使用者はこの調整手段１９を操作して第二の吸込み口１８を開くことにより冷蔵室２の実質管理温度を１℃上げた５℃で節電運転をすることができるようになる。
【００４０】
上記温度変更の度合いは第二の吸込み口１８の開口度合いを変えることによって大小変えることができる。例えば第二の吸込み口１８を半分開くと第二の吸込み口１８からの戻り冷気量が少ないので１℃程度の変更とすることができ、全部開いたときには同第二の吸込み口１８からの戻り冷気の量が多くなるので２℃程度の変更とすることができるようになる。よって、必要に応じて調整手段１９による第二の吸込み口１８の開口度を調節できるようにしておけば、更に使用者のニーズにあった温度変更と使い方ができるものとなる。
【００４１】
また、前記吐出口１０と前記第二の吸込み口１８とは食品棚２ａによって複数の区画に区切られた冷蔵室２の中の同一の区画に配置してあるから、節電効果のより大きな運転が可能となる。すなわち、第二の吸込み口１８は吐出口１０から吐出され他の区画にまで広がって多くの食品等と熱交換する前の吐出口１０から吐出した低温状態のままの冷気を吸込んで第二の戻り風路１７に戻っていく。したがって、上記第二の戻り風路１７から戻る冷気による温度検知手段２３の冷却効果が高まり、第二の戻り風路１７に隣接配置した温度検知手段２３は比較的短時間に管理温度に達して圧縮機６や冷却ファン８を停止させることになる。よって、冷蔵室２に冷気を供給して冷却している時間をより短くすることができ、その分冷蔵室２が管理温度に対する冷却不足気味度合いが大きくなって圧縮機６や冷却ファン８が停止したときの冷蔵室の温度は高めになる。換言すると、冷蔵室の管理温度をより高めに変更することができ、より節電効果の大きな運転が可能となるのである。
【００４２】
また、前記温度検知手段２３と前記第一の吸込み口１２とは食品棚２ａによって複数の区画に区切られた冷蔵室２の中の最下段の同一の区画に配置してあるから、第二の吸込み口１８を全閉にして吐出口１０からの冷気がすべて冷蔵室２内の食品等と熱交換して第一の吸込み口１２より戻るときの冷気温度を良好に検知することができ、冷蔵室２内の温度を正確に管理温度に維持することができる。
【００４３】
更に前記温度検知手段２３は、前記吐出風路１１と前記第二の戻り風路１７との間の空間に配置してあるから、温度検知手段２３は吐出風路１１と第二の戻り風路１７との間の空間を有効利用して配置することができ、構成の合理化が可能となるとともに、第二の戻り風路１７と温度検知手段２３を配置した空間は樹脂等で構成した凹状部２２の壁のみの構成とすることができるため、温度検知手段２３は、直接、冷気の温度を検知するのではなく、適度に雰囲気温度を検知でき変動の少ない安定した平均温度を測ることができる。
【００４４】
また、前記吐出風路１１と第二の戻り風路１７との間に対応する冷蔵室背面壁のダクト部材１６に凹状部２２を設け、この凹状部２２に温度検知手段２３とともに照明手段２４を設け、前記照明手段２４と前記温度検知手段２３とを同一基板上に配置した構成としてあるから、吐出風路１１と第二の戻り風路１７との間のスペースを有効利用して効率的に照明手段２４を配置することができると同時に、この照明手段２４の基板と温度検知手段２３の基板の兼用で部品削減も可能となり、構成の合理化による簡素化と部品削減によるコストダウンも可能となる。
【００４５】
一方、前記調整手段１９は第二の吸込み口１８を開閉するだけのものであるから、単なる板材からなるダンパー等で構成することができ、可変抵抗器等の電子部品に比べ安価に提供できる。また、調整手段取り付け部分から冷気が漏れるのを阻止する必要がないから、スライド構成等の簡単な構造で提供することができ、しかも温度検知手段２３に接続するリード線等も不要となって組み立て工数も削減でき、大幅なコストダウンを実現できる
。加えて、調整手段１９は手動で機械的に駆動、例えば摺動させるだけであるから、冷気漏れ等があっても何ら影響を受けることが無く、長期間に亘ってその動作を保障することができる。
【００４６】
この様に上記実施の形態で説明した冷蔵庫は冷蔵室２に設けた第二の吸込み口１８を調整手段１９で開閉することによって冷蔵室２の実質的な管理温度を変更できるようにしたものであるが、本発明の目的達成範囲内であれば種々変更可能である。例えば調整手段１９はスライド方式にしたが、前後方向に可動するタイプでも良く、その開閉度合いも段階的、或いは無段階に調整可能とすることが可能である。
【産業上の利用可能性】
【００４７】
以上のように本発明は、コストアップをほとんど発生させず、かつ、故障の恐れも発生させずに冷蔵室の温度を調整することができ、冷蔵室温度を高め設定して節電運転が可能となる安価で信頼性の高い冷蔵庫を提供することができ、業務用、家庭用を問わず幅広い冷蔵庫に適用することができる。
【符号の説明】
【００４８】
１  冷蔵庫本体
２  冷蔵室
２ａ  食品棚
３  冷凍室
４，５  扉
６  圧縮機
７  冷却器
８  冷却ファン
１０  吐出口
１１  吐出風路
１２  第一の吸込み口
１３  第一の戻り風路
１４  冷凍室吐出口
１５  冷凍室吸込み口
１６  ダクト部材
１７  第二の戻り風路
１８  第二の吸込み口
１９  調整手段
２０  つまみ
２１  溝孔
２２  凹状部
２３  温度検知手段
２４  照明手段
２５  照明カバー
２６  切換手段
２７  つまみ
【図１】
2014077590.tif 000003
【図２】
2014077590.tif 000004
【図３】
2014077590.tif 000005
【図４】
2014077590.tif 000006
【図５】
2014077590.tif 000007
【図６】
2014077590.tif 000008
【図７】
2014077590.tif 000009